(57)【要約】【課題】本発明は除湿装置に関するもので、本体ケースの温度上昇を防ぎ、耐久性をさらに向上するものである。【解決手段】本発明によれば、循環経路１０内に、除湿ロータ８の放湿部７と、放湿部７の風上側に設けた発熱手段１５と、前記放湿部７の風下側に設けた再生チャンバー部１６とを有し、再生チャンバー部１６と本体ケース１との間に遮熱壁２１を備え、遮熱壁２１と再生チャンバー部１６との間には隙間を設けたことにより、再生チャンバー部１６と本体ケース１の間に、遮熱壁２１とそれに仕切られた隙間である空気層を形成し、再生チャンバー部１６外郭の熱が本体ケース１まで到達するのを防ぎ、本体ケース１を形成する樹脂の耐久性を更に向上した除湿装置を得られる。【選択図】  図３
2015166061.tif 000002
【特許請求の範囲】
【請求項１】
吸込口と吹出口を有する本体ケースと、前記本体ケース内には、吸湿部と放湿部を有する除湿ロータと、前記除湿ロータを回動自在に支持する仕切り板と、前記本体ケースの前記吸込口から吸込んだ空気を、第１の送風路により、前記除湿ロータの前記吸湿部を通過後、前記吹出口から本体ケース外に排気する第１の送風手段と、循環経路とを備え、前記循環経路には、前記除湿ロータの放湿部と、前記放湿部の風上側に設けた発熱手段と、前記放湿部の風下側に設けた再生チャンバー部と、前記再生チャンバー部の風下側に設けた熱交換器と、前記循環経路内の空気を循環させる第２の送風手段とを有し、前記再生チャンバー部と前記本体ケースとの間に遮熱壁を備え、前記遮熱壁と前記再生チャンバーとの間には隙間を設けたことを特徴とする除湿装置。
【請求項２】
前記遮熱壁は、前記仕切り板の一部で構成することを特徴とする請求項１記載の除湿装置。
【請求項３】
前記吸込口の一部は、前記遮熱壁に対向していることを特徴とする請求項１または請求項２に記載の除湿装置。
【請求項４】
前記再生チャンバー部は、前記除湿ロータ側のチャンバーと、前記遮熱壁側のチャンバーカバーとから構成され、前記遮熱壁の一部は、前記再生チャンバー部における風下側の前記チャンバーカバーと接触することを特徴とする請求項１〜３のいずれかに記載の除湿装置。
【請求項５】
前記再生チャンバー部における風下側の前記チャンバーカバーと前記遮熱壁の間にリブを設けたことを特徴とする請求項４記載の除湿装置。
【発明の詳細な説明】
【技術分野】
【０００１】
本発明は除湿装置に関するもので、安全性を更に向上できるものである。
【背景技術】
【０００２】
吸気口と排気口を有する本体ケースと、操作部を有す表示手段と、この本体ケース内に設けられるとともに、吸湿部と放湿部を有する除湿ロータと、この除湿ロータを回転させる駆動手段と、前記本体ケースの前記吸気口から吸込んだ空気を、第１の送風路により、前記除湿ロータの吸湿部を通過後、前記排気口から本体ケース外に排気する第１の送風手段と、前記本体ケース内に設けられた吸湿経路とを備え、前記吸湿経路は、前記除湿ロータの放湿部と、この放湿部の風上側に設けた発熱手段と、この放湿部の風下側に設けた再生チャンバーと、この再生チャンバーの風下側に設けた熱交換器と、この吸湿経路内の空気を循環させる第２の送風手段を有することを特徴とした除湿装置が知られている（例えば、特許文献１参照）。
【先行技術文献】
【特許文献】
【０００３】
【特許文献１】特開２０１２−１６６１６３号公報（第９−１０頁、第１−３図）
【発明の概要】
【発明が解決しようとする課題】
【０００４】
このような従来の除湿装置における課題は、再生チャンバー外郭の近傍に本体ケースが配置されており、再生チャンバー外郭から漏れる熱が本体ケースに伝達することにより、本体ケースの温度が上昇しやすくなるということであった。
【０００５】
すなわち、このような除湿装置において、再生チャンバーは発熱手段によって高温になった空気が除湿ロータの放湿部を介して供給される。そのため、このような除湿装置では再生チャンバーは耐熱性の樹脂もしくは板金で形成されるのが一般的であるが、本体ケースは耐熱性でない材料で形成される場合があり、再生チャンバー外郭から漏れる熱が本体ケースに伝達すると本体ケースに熱による劣化が生じる可能性があった。また、本体ケースの温度上昇は、使用者に対して不安感を与える恐れがあった。
【０００６】
そこで本発明は、このような従来の除湿装置が有していた問題を解決しようとするものであり、再生チャンバー外郭から漏れる熱が本体ケースに伝達するのを低減することにより、本体ケースを形成する樹脂の耐久性を向上することができる。結果として、安全性を更に向上することを目的とするものである。
【課題を解決するための手段】
【０００７】
そして、この目的を達成するために、本発明は、吸込口と吹出口を有する本体ケースと、前記本体ケース内には、吸湿部と放湿部を有する除湿ロータと、前記除湿ロータを回動自在に支持する仕切り板と、前記本体ケースの前記吸込口から吸込んだ空気を、第１の送風路により、前記除湿ロータの前記吸湿部を通過後、前記吹出口から本体ケース外に排気する第１の送風手段と、循環経路とを備え、前記循環経路には、前記除湿ロータの放湿部と、前記放湿部の風上側に設けた発熱手段と、前記放湿部の風下側に設けた再生チャンバー部と、前記再生チャンバー部の風下側に設けた熱交換器と、前記循環経路内の空気を循環させる第２の送風手段とを有し、前記再生チャンバー部と前記本体ケースとの間に遮熱壁を備え、前記遮熱壁と前記再生チャンバーとの間には隙間を設けたものであり、これにより所期の目的を達成するものである。
【発明の効果】
【０００８】
本発明によれば、吸込口と吹出口を有する本体ケースと、前記本体ケース内には、吸湿部と放湿部を有する除湿ロータと、前記除湿ロータを回動自在に支持する仕切り板と、前記本体ケースの前記吸込口から吸込んだ空気を、第１の送風路により、前記除湿ロータの前記吸湿部を通過後、前記吹出口から本体ケース外に排気する第１の送風手段と、循環経路とを備え、前記循環経路には、前記除湿ロータの放湿部と、前記放湿部の風上側に設けた発熱手段と、前記放湿部の風下側に設けた再生チャンバー部と、前記再生チャンバー部の風下側に設けた熱交換器と、前記循環経路内の空気を循環させる第２の送風手段とを有し、前記再生チャンバー部と前記本体ケースとの間に遮熱壁を備え、前記遮熱壁と前記再生チャンバーとの間には隙間を設けたものであり、安全性を更に向上するものである。
【０００９】
すなわち、再生チャンバーと本体ケースとの間に遮熱壁を備え、遮熱壁と再生チャンバーとの間には隙間を設けたことにより、再生チャンバーと本体ケースの間に、遮熱壁とそれに仕切られた隙間である空気層を形成し、再生チャンバー外郭の熱が本体ケースまで到達するのを低減することができ、本体ケースを形成する樹脂の耐久性を向上することができる。結果として、安全性を更に向上することができるものである。
【図面の簡単な説明】
【００１０】
【図１】本発明の実施の形態における除湿装置の分解斜視図
【図２】同除湿装置の概略断面図
【図３】同除湿装置の再生チャンバー部および仕切り板の分解斜視図
【図４】同除湿装置の内部平面図
【図５】同除湿装置の仕切り板の斜視図
【発明を実施するための形態】
【００１１】
本発明の請求項１記載の除湿装置は、吸込口と吹出口を有する本体ケースと、前記本体ケース内には、吸湿部と放湿部を有する除湿ロータと、前記除湿ロータを回動自在に支持する仕切り板と、前記本体ケースの前記吸込口から吸込んだ空気を、第１の送風路により、前記除湿ロータの前記吸湿部を通過後、前記吹出口から本体ケース外に排気する第１の送風手段と、循環経路とを備え、前記循環経路には、前記除湿ロータの放湿部と、前記放湿部の風上側に設けた発熱手段と、前記放湿部の風下側に設けた再生チャンバー部と、前記再生チャンバー部の風下側に設けた熱交換器と、前記循環経路内の空気を循環させる第２の送風手段とを有し、前記再生チャンバー部と前記本体ケースとの間に遮熱壁を備え、前記遮熱壁と前記再生チャンバーとの間には隙間を設ける。
【００１２】
これにより、再生チャンバー外郭の熱が本体ケースまで到達するのを低減することができる。結果として、本体ケースを形成する樹脂の耐久性を向上することができる。
【００１３】
また、前記遮熱壁は、前記仕切り板の一部で構成してもよい。
【００１４】
これにより、部品点数を増やすことなく、効果的な再生チャンバー遮熱手段を設けることができる。結果として、本体ケースを形成する樹脂の耐久性を向上することができる。
【００１５】
また、前記吸込口の一部は、前記遮熱壁に対向する構成としてもよい。
【００１６】
これにより、遮熱壁外郭に外気を取り込むことが可能となり、遮熱壁および本体ケースの温度上昇を低減することができる。結果として、本体ケースを形成する樹脂の耐久性を向上することができる。
【００１７】
また、前記再生チャンバー部は、前記除湿ロータ側のチャンバーと、前記遮熱壁側のチャンバーカバーとから構成され、前記遮熱壁の一部は、前記再生チャンバー部における風下側の前記チャンバーカバーと接触する構成としてもよい。
【００１８】
これにより、遮熱壁の一部は再生チャンバーと接触しているため、蓋状のチャンバーカバーが開くことを防ぐことで再生チャンバーから高温空気の流出を防ぎ、一部は空気層を形成することで再生チャンバー外郭の熱が外郭まで到達することを低減することができる。結果として、本体ケースを形成する樹脂の耐久性を向上することができる。
【００１９】
また、前記再生チャンバー部における風下側の前記チャンバーカバーと前記遮熱壁の間にリブを設ける構成としてもよい。
【００２０】
これにより、前記再生チャンバー部内の高温過湿空気が結露し、結露水が前記チャンバーと前記チャンバーカバーの隙間より前記再生チャンバー部の外郭に漏れ出て、前記遮熱壁と前記再生チャンバー部を経路として遮熱壁外部に流出しようとしても、再生チャンバー部外郭から垂れ出ることなく、前記リブを介して除湿水として回収することが可能となる。また、蓋状のチャンバーカバーが開くことを防ぎ、再生チャンバーから高温空気の流出を防ぎ、遮熱手段内部の温度上昇を抑えることができる。結果として、本体ケースを形成する樹脂の耐久性を向上することができる。
【００２１】
以下、本発明の実施の形態について図面を参照しながら説明する。
【００２２】
（実施の形態１）
図１は本発明の実施の形態における除湿装置の概略構成を示す簡易的な分解図である。      
【００２３】
図２は本発明の一実施形態を示す平面概略断面図である。図１、図２に示すように、本実施形態の除湿装置は、本体ケース１前面に吸込口２を設け、本体ケース１の上部に吹出口３および操作部４を有している。使用者は、この操作部４を操作することで本装置の操作および運転モードの確認をすることができる。本体ケース１の材質は、樹脂であり、１例としては、ＡＢＳ樹脂である。本体ケース１の下方には、受皿５が出没自在に設けられており、本体ケース１内で生成された除湿水を貯水する。
【００２４】
この本体ケース１内に、吸湿部６と放湿部７を有する除湿ロータ８、第１の送風手段９、循環経路１０とを備えている。
【００２５】
除湿ロータ８は、仕切り板１１に回転自在に配置されており、その回転駆動は駆動手段１２によって行われるようになっている。
【００２６】
第１の送風手段９は、本体ケース１内の後方に設けられており、図１の第１の送風路１３のごとく、本体ケース１の吸込口２から吸込んだ室内空気を、除湿ロータ８の吸湿部６を通過後、吹出口３から本体ケース１外に排気する。第１の送風手段９の前方には、除湿ロータ８を備えている。
【００２７】
除湿ロータ８は、吸着材が担持された軸方向に通風可能な円筒状のハニカムローターで構成されており、この吸着材は、晒される空気の相対湿度が高ければ多くの水分を保持でき、相対湿度が低くなると保持可能な水分量が減少する特性を有しているので、相対湿度の異なる複数の空気との接触を繰り返せば、各々の相対湿度における吸着材の保持可能な水分量の差に応じて水分の吸脱着が行われることになる。
【００２８】
循環経路１０は、除湿ロータ８の放湿部７と、この放湿部７の風上側に設けた発熱手段である発熱手段１５と、この放湿部７の風下側に設けた再生チャンバー部１６と、この再生チャンバー部１６の風下側に設けた熱交換器１４と、この熱交換器１４の風下側に設け循環経路１０内の空気を循環させる第２の送風手段１８とを有するものである。なお、この循環経路１０は本体ケース１内の通気路として独立している。
【００２９】
図３は再生チャンバー部１６および仕切り板１１の分解斜視図である。図３に示すごとく、再生チャンバー部１６は、一部中空構造を持つ箱のような形状で、チャンバー１９とチャンバーカバー２０で構成される。再生チャンバー部１６は、循環経路１０の一部を構成し、開口部を複数備えている。これらの開口部のうちの一つは除湿ロータ８の放湿部７の下流に位置し、放湿部７の形状に沿うように扇形に開口している。また、その扇形の開口部の周囲は滑らかな平面で構成されており、除湿ロータ８との気密性を高める形状になっている。再生チャンバー部１６の別の開口部は、熱交換器１４の上流にあたり、仕切り板１１等で構成された開口部下流の風路と同様にロの字型の形状をしており、扇形の開口部と開口の方向を異としている。
【００３０】
具体的には、扇形の開口部を正面とすると、ロの字型の開口部は側面にあたる。この再生チャンバー部１６には、ネジの取り付けが可能な穴が複数設けられており、再生チャンバー部１６と仕切り板１１、再生チャンバー部１６と発熱手段１５外郭とをそれぞれ固定するために用いられる。扇形の開口部周囲の平面の扇形中心部分には、除湿ロータ８の中心となる軸があり、除湿ロータ８を固定することなく保持する。
【００３１】
再生チャンバー部１６の役割の一つは、発熱手段１５を通過し、除湿ロータ８の放湿部７を通過した高温過湿空気の風向を変更し、高温空気を冷却しながら、次の風路に送り込むことである。そのため、再生チャンバー部１６は高温に保たれやすく、再生チャンバー部１６は、本体ケース１より耐熱性が高いものを使用する。特に高温空気が流入する部分においては、板金３０を用いて、高温空気が樹脂に直接吹き付けないように構成する。
【００３２】
この板金３０は、再生チャンバー部１６の上流側の開口部より小さく、開口部の円弧型の形状に沿うように扇形で、除湿ロータ８の放湿部７の下流側の面と平行で、その面とは接触しないように離れており、かつ、再生チャンバー部１６下流側のチャンバーカバー２０とも距離を持つ位置に配置する。また、板金３０の一部は、再生チャンバー部１６と除湿ロータ８の接触面の一部も構成し、再生チャンバー部１６の耐久性を高め、除湿ロータ８との気密性を高めるとともに、板金３０の保持にも有効である。
【００３３】
さらに、この本体ケース１内には図２の矢印Ａに示すごとく、第１の送風手段９によって吸込口２から本体ケース１内に吸込んだ室内空気を、循環経路１０の熱交換器１４を通過後、第１の送風手段９を経由し、吹出口３から本体ケース１外に排気する送風路が形成されている。
【００３４】
ただし、矢印Ａの室内空気は、熱交換器１４内を通過する循環経路１０の空気とは、この熱交換器１４を構成する熱伝導面を介して熱交換されるだけで、この熱交換器１４部分で混合されることはない。
【００３５】
本体ケース１内の後方側には、第１の送風手段９を備え、本体ケース１内の前方側には、除湿ロータ８を備えている。第１の送風手段９と、除湿ロータ８との間には、発熱手段１５を備えている。除湿ロータ８と本体ケース１前面との間には、再生チャンバー部１６を設けている。
【００３６】
ここで、循環経路１０の動作について説明すると、発熱手段１５で加熱された、循環経路１０の空気は、放湿部７において、湿気を放出させ、この高温、過湿状態の空気が、風下側に設けた再生チャンバー部１６に流入する。再生チャンバー部１６内で高温空気は、まず板金３０に吹き付け、その後、風向を変えながら再生チャンバー部１６内の空洞に進み、仕切り板１１等で構成された風路を介して、更に風下側の熱交換器１４に送られる。この熱交換器１４には上述の通り、図２の矢印Ａに示すごとく、第１の送風手段９によって室内空気が送風されているので、高温、過湿状態の空気は冷却され、これにより結露し、これが受皿５内に溜められる。
【００３７】
除湿ロータ８の吸湿部６は、第１の送風路１３に室内空気が通過するごとに、湿気を吸着し、これが除湿ロータ８の回転により、次に上述した放湿部７となって、循環経路１０内に湿気を放出させ、このような循環により室内空気の除湿が行われる。
【００３８】
本実施形態における特徴は、再生チャンバー部１６と本体ケース１との間に図３に示すごとく遮熱壁２１を備え、遮熱壁２１と再生チャンバー部１６との間には隙間を設けた点である。つまり本体ケース１と、本体ケース１における前面側の再生チャンバー部１６外郭との間に遮熱手段を設けたことにある。これにより、再生チャンバー部１６外郭から漏れる熱が遮熱壁２１と遮熱壁２１に区切られた空気層によって断熱され、本体ケース１まで到達するのを低減することができる。結果として、本体ケース１を形成する樹脂の耐久性を向上することができる。
【００３９】
具体的には、図４は本発明の一実施形態の内部平面図である。図３および図４に示すごとく、本体ケース１における前面側の再生チャンバー部１６の外郭に遮熱壁２１を設け、その遮熱壁２１は再生チャンバー部１６の一部を覆う構成とし、再生チャンバー部１６外郭と遮熱壁２１の間には空間を設けることを特徴とする。
【００４０】
図３に示すごとく、遮熱壁２１は、再生チャンバー部１６の側面および背面の一部に構成する。これは、再生チャンバー部１６内に設けられている板金３０により、除湿ロータを通過した高温空気が、除湿ロータ８回転方向に対して、外周側に流れるためであり、再生チャンバー部１６の中でも特に高温になる部分に遮熱壁２１を設けるとともに、遮熱壁２１と再生チャンバー部１６との間に空気層を設ける構成とするのがよい。これにより、再生チャンバー部１６外郭から漏れる熱が遮熱壁２１と遮熱壁２１に区切られた空気層によって断熱され、本体ケース１まで到達するのを低減することができる。結果として、本体ケース１を形成する樹脂の耐久性を向上することができる。
【００４１】
なお、遮熱壁２１は、再生チャンバー部１６より耐熱性が低いものであが、本体ケース１より耐熱性が高いものである。
【００４２】
また、遮熱壁２１を、仕切り板１１の一部で構成するものである。仕切り板１１の本来の目的は、除湿ロータ８の吸湿部６を通過する前の除湿対象空気と除湿ロータ８の吸湿部６を通過した後の乾燥空気を分離することにある。更に、除湿ロータ８を支持するとともに、各部品を取り付ける等、本体ケース１内部を構成する要素の一つである。この仕切り板１１で、遮熱壁２１を構成するものである。
【００４３】
仕切り板１１は、図３に示すごとく、長方形の板形状の内側に除湿ロータ８を保持する円筒状の空洞とその円筒内部に中空円盤状の平面があり、その平面で除湿ロータ８を保持し、円筒内に除湿ロータ８を収め、中空部分が第１の送風路１３となる。円筒を形成する円上で、仕切り板１１下部には、除湿ロータ８を回転させる駆動手段１２を取り付ける。また、仕切り板１１上部で、熱交換器１４と隣接しない側には、円筒および中空円盤を設けず、第１の送風路１３上流側に平板を設ける。この平板には、仕切り板１１の天面と側面が付属しており、平板は仕切り板の構造を支えるとともに、平板と天面、側面で囲われた空間に再生チャンバー部１６を保持する。更に、仕切り板１１下部は、コの字状となっており、循環経路１０のうち、熱交換器１４から第２の送風手段１８の間の風路の一部を形成する。
【００４４】
遮熱壁２１は、再生チャンバー部１６の第１の送風路１３上流側、すなわち、再生チャンバー部１６と本体ケース１との間に設け、再生チャンバー部１６のうち、特に温度が上昇しやすい領域を覆う構成にする。すなわち、再生チャンバー部１６に備え付けられた板金３０で覆われていない、除湿ロータ８外周より外側の部分および再生チャンバー部１６側面にあたる領域である。図３に示すごとく、遮熱壁２１を、仕切り板１１の一部で構成することにより、部品点数を増やすことなく、効果的な再生チャンバー部１６遮熱手段を設けることができる。また、一体の部品で成型することにより、仕切り板１１と遮熱壁２１の間に、隙間が生じないため、再生チャンバー外郭で生じた高温空気を遮熱壁２１の外側に流出することがなく、より遮熱壁２１の効果を高めることができる。結果として、本体ケース１を形成する樹脂の耐久性を向上することができる。
【００４５】
また、吸込口２の一部は、遮熱壁２１に対向しているものである。吸込口２の役割は、除湿ロータ８の吸湿部６および熱交換器１４に空気を供給するために開口している。その吸込口２を、遮熱壁２１外郭まで広げることにより、遮熱壁２１自体を冷却することが可能となる。また、仕切り板１１は一部本体ケース１との空間を設けており、再生チャンバー部１６側面側の遮熱壁（図３、第２の仕切り板面）外郭にも空気が流れる構成とすることができる。このように、遮熱壁２１外郭に外気を取り込むことにより、遮熱壁２１および本体ケース１の温度上昇を低減することができる。結果として、本体ケース１を形成する樹脂の耐久性を向上することができる。
【００４６】
前述の通り、再生チャンバー部１６は、図３に示すごとく、除湿ロータ８側のチャンバー１９と、遮熱壁２１の第１の仕切り板面側のチャンバーカバー２０とから構成されている。これは、再生チャンバー部が中空の複雑な構造であり、成型上の理由が主である。
【００４７】
遮熱壁２１の一部は、再生チャンバー部１６におけるチャンバーカバー２０と接触するものである。図３に示すとおり、チャンバーカバー２０は、本体ケース１における左右方向に隣り合った第１のカバー面２２と第２のカバー面２３の複数の平面で構成されている。チャンバーカバー２０に対面する遮熱壁２１は、第１の仕切り板面２４で構成されている。
【００４８】
チャンバーカバー２０の第１のカバー面２２は、遮熱壁２１の第１の仕切り板面２４とは平行で、チャンバーカバー２０の第１のカバー面２２の端部から伸びたチャンバーカバーの第２のカバー面２３は、除湿ロータ側へ傾斜している。すなわち、このチャンバーカバー２０を仕切り板１１に組み込むと、第１のカバー面２２は第１の仕切り板面２４と接触するものの、第２のカバー面２３は第１の仕切り板面２４とは接触せず、チャンバーカバー２０と遮熱壁２１との間に、空気層を形成する。
【００４９】
循環経路１０内の空気の流れ方向において、第１のカバー面２２は、再生チャンバー部１６の風下側であり、第２のカバー面２３は、再生チャンバー部１６の風上側である。
【００５０】
すなわち、再生チャンバー部１６の風上側である第２のカバー面２３は、再生チャンバー部１６の風下側である第１のカバー面２２より高温となる。すなわち、第１の仕切り板面２４とは接触せず、チャンバーカバー２０と遮熱壁２１との間に、空気層を形成すると、再生チャンバー部１６外郭から漏れる熱が遮熱壁２１と遮熱壁２１に区切られた空気層によって断熱され、本体ケース１まで到達するのを低減することができる。結果として、本体ケース１を形成する樹脂の耐久性を向上することができる。なお、空気層は、再生チャンバー部１６内に設けられる板金３０によって運ばれる、除湿ロータ８の外周側に設けることで、その効果を最大限に発揮できるものである。つまり、除湿ロータ８の外周側の面積が、第１のカバー面２２より大きい第２のカバー面２３に設けることで、その効果を最大限に発揮できる。
【００５１】
再生チャンバー部１６を形成する、チャンバー１９とチャンバーカバー２０はチャンバーカバー２０側にリブを形成し、蓋のように嵌まり込む形状であるが、再生チャンバー部１６の断熱手段である空気層を形成すると、チャンバーカバー２０を押さえることが難しくなり、組み立て不良の恐れや長期間の使用によっては、チャンバー１９とチャンバーカバー２０の嵌まり込みが少なくなり、再生チャンバー部１６内部を流れる高温空気が再生チャンバー部１６の外側に流出する可能性がある。
【００５２】
すなわち、第１のカバー面２２を第１の仕切り板面２４に接触させていることにより、遮熱壁２１によるチャンバーカバー２０の押さえ込みが可能となり、蓋状のチャンバーカバー２０が開くことを防ぐことが可能となる。再生チャンバー部１６から高温空気の流出を防ぎ、一部は空気層を形成することで再生チャンバー部１６外郭の熱が外郭まで到達することを低減することができる。結果として、本体ケース１を形成する樹脂の耐久性を向上することができる。
【００５３】
また、再生チャンバー部１６におけるチャンバーカバー２０と遮熱壁２１の間に複数のリブを設けたものである。図５は本発明の一実施形態の仕切り板の拡大斜視図である。図５に示すごとく、遮熱壁２１の第１の仕切り板面２４のうち、チャンバーカバー２０の第１のカバー面２２と接触しない部分の下部に、一部第２のカバー面２３と接触する形状で第１の仕切り板面２４の下部端面に第１のリブ２６を形成する。具体的には、第１の仕切り板面２４の下端部は円弧形状である。この下端部の一部から再生チャンバー部１６方向、第２のカバー面へ伸びた突起が第１のリブ２６である。
【００５４】
その第１のリブ２６と隣接するように第１の仕切り板面２４上に第２のカバー面２３には接触しない高さの第２のリブ２７を形成する。この第２のリブ２７は、第１のリブ２６と所定の距離を有して、第１のリブ２６の上方に位置するものである。
【００５５】
これにより、再生チャンバー部１６内の高温過湿空気が結露し、結露水がチャンバー１９とチャンバーカバー２０の隙間より再生チャンバー部１６の外郭に漏れ出て、遮熱壁２１を経路として遮熱壁２１外部に流出しようとしても、再生チャンバー部１６外郭から垂れ出ることなく、第１のリブ２６および第２のリブ２７を介して除湿水として回収することが可能となる。これら第１のリブ２６および第２のリブ２７の下端部の下方には、受皿５に連通する連通路を備えている。
【００５６】
第１のリブ２６は、チャンバーカバー２０の第２のカバー面２３に一部接触することにより、結露水の漏れ防止に効果を発揮するとともに、チャンバーカバー２０の押さえ込みの効果も期待できる。これにより、蓋状のチャンバーカバー２０が開くことを防ぎ、再生チャンバー部１６から高温空気の流出を防ぎ、遮熱手段内部の温度上昇を抑えることができる。結果として、本体ケース１を形成する樹脂の耐久性を向上することができる。加えて、第１のリブ２６に第２のリブ２７が隣接することにより、結露水が再生チャンバー部１６外に漏れ出た場合には、毛細管現象により、遮熱壁２１下部へ直ちに誘導するものである。
【００５７】
また、図５に示すごとく、遮熱壁２１の第１の仕切り板面２４には、チャンバーカバー２０の第２のカバー面２３に向かって直線上に等間隔で複数の第３のリブ２８も形成する。これにより、チャンバーカバー２０の開きをより確実に防ぐことが可能となる。これにより、再生チャンバー部１６から高温空気の流出を防ぎ、遮熱手段内部の温度上昇を抑えることができる。結果として、本体ケース１を形成する樹脂の耐久性を向上することができる。
【００５８】
また、図５に示すごとく、遮熱壁２１の第２の仕切り板面２５には再生チャンバー部１６の挿入方向に向かって直線上に複数の第４のリブ２９を形成する。この第４のリブ２９は再生チャンバー部１６を第２の仕切り板面２５と垂直な方向に支持するものである。これにより、仕切り板１１等で形成され、再生チャンバー部１６と熱交換器１４との間に設けられた風路と、循環経路１０内で風路の上流にあたる再生チャンバー部１６との接合がより確実となり、再生チャンバー部１６や風路内で生成する結露水および循環経路１０内の高温空気の漏れを低減することが可能となる。結果として、本体ケース１を形成する樹脂の耐久性を向上することができる。
【産業上の利用可能性】
【００５９】
本発明にかかる除湿装置は、再生チャンバーからの放熱による本体ケースの温度上昇を低減する耐熱手段を提供するものであり、除湿ロータを用いる空調機器等に有用である。
【符号の説明】
【００６０】
１  本体ケース
２  吸込口
３  吹出口
４  操作部
５  受皿
６  吸湿部
７  放湿部
８  除湿ロータ
９  第１の送風手段
１０  循環経路
１１  仕切り板
１２  駆動手段
１３  第１の送風路
１４  熱交換器
１５  発熱手段
１６  再生チャンバー部
１８  第２の送風手段
１９  チャンバー
２０  チャンバーカバー
２１  遮熱壁
２２  第１のカバー面
２３  第２のカバー面
２４  第１の仕切り板面
２５  第２の仕切り板面
２６  第１のリブ
２７  第２のリブ
２８  第３のリブ
２９  第４のリブ
３０  板金
【図１】
2015166061.tif 000003
【図２】
2015166061.tif 000004
【図３】
2015166061.tif 000005
【図４】
2015166061.tif 000006
【図５】
2015166061.tif 000007